(57)【要約】【課題】継手に接続されるナットの締め付けのための調整を不要とし、少ない部品数でナットの固定が可能な継手の固定構造を提供する。【解決手段】発熱部品が取り付けられたプリント基板と、該プリント基板に固定されたフロントパネルと、前記発熱部品を冷却するための冷却剤が循環するパイプと、該パイプの両端に接続され前記冷却剤の導入及び排出を行うための多角ナットを有する継手と、一端が前記多角ナットと継手の間に固定され他端が前記フロントパネルに固定されたブラケットを備えている。【選択図】図１
2011253984.tif 000002
【特許請求の範囲】
【請求項１】
発熱部品が取り付けられたプリント基板と、該プリント基板に固定されたフロントパネルと、前記発熱部品を冷却するための冷却剤が循環するパイプと、該パイプの両端に接続され前記冷却剤の導入及び排出を行うための多角ナットを有する継手と、一端が前記多角ナットと継手の間に固定され他端が前記フロントパネルに固定されたブラケットを備えたことを特徴とする継手の固定構造。
【請求項２】
前記ブラケットの一端は前記継手の端部に形成されたネジ部に挿入され前記ナットで締め付けることにより固定されたことを特徴とする請求項１に記載の継手の固定構造。
【請求項３】
前記継手は所定の角度に折れ曲がって形成されていることを特徴とする請求項１に記載の継手の固定構造。
【発明の詳細な説明】
【技術分野】
【０００１】
本発明は、例えばプリント基板に取り付けられた発熱素子（電子部品）を冷却するためのパイプが接続された継手の固定構造に関するものである。
【背景技術】
【０００２】
プリント基板に多数の電子部品を取り付ける場合、中には冷却が必要な発熱部品がある。
図３はそのような発熱部品を冷却するための従来例を示す平面図(a)、正面図(b)、左側面図(c)、(c)図の拡大断面図(d)である。
【０００３】
これらの図において、プリント基板1上には電子部品2や発熱部品3が固定されている。
発熱部品3上には平板状のコールドプレート4が発熱部品3を覆う状態で固定され、発熱部品3に接した状態になっている。コールドプレート4の中央付近には全長に渡ってＵ字状のパイプ5がコールドプレート4に接して配置されており、パイプ5の両端には継手15a、15b及びナット6ａ、6ｂが接続されている。また、継手15a、15bにはカプラ7a、7bが取付けられている。
【０００４】
プリント基板1の端部（図では左端）にはフロントパネル8が固定されており、このフロントパネル8上には継手15a、15bに接続されたナット6ａ、6ｂが位置するように配置されている。
【０００５】
フロントパネル8上にはＵ字状パイプ5の端部の幅Hに合わせて形成された凹部9a、9bを有するブロック10aが配置され、フロントパネル8の裏側からネジ12a、12bにより固定されている。
ブロック10a上には凹部11a、11bを有するブロック10bが配置され、凹部11a、11bが凹部9a、9bに対向して位置するようにネジ12c、12dによりブロック10aに固定されている。
【０００６】
また、ブロック10bの一端はねじ12eによりフロントパネル8に固定されており、ナット6ａ、6ｂは底部が平坦に形成された凹部9a、9bと凹部11a、11bで挟まれた状態で固定されている。
【０００７】
上述の構成において、パイプ5に冷却水を循環させるためにカプラ７a、7bのいずれか一方にチューブ13を接続して冷却水を導入し、他方のチューブから排出する。チューブをカプラに取り付けるに際してはカプラを継手15a、15bにねじ込みスパナなどを用いて締め付けて固定するが、ナット6ａ、6ｂがブロック10a、10bに固定されているので、ぐらつきを防止することができる。
【先行技術文献】
【特許文献】
【０００８】
【特許文献１】特開平０２−０４６３８９号公報
【特許文献２】特開平０９−１５２０５８号公報
【発明の概要】
【発明が解決しようとする課題】
【０００９】
ところで、上述においてはブロック10a、10bにてパイプ5の両端に配置されたナット6ａ、6ｂを固定しているが、ナットの外周は通常６角に形成されておりブロック10a、10bで固定するに際しては2つのナットの外周の平らな部分を凹部9a、9bと11a、11bの平坦な底部に押し付けて同じ高さに固定するようにナット6ａ、6ｂの締め付けを調整しなければならない。
【００１０】
また、ナット6a、6bを固定するために凹部が形成されたブロック10a、10bやこれを固定するための5本のネジ12a〜12eを用意しなければならず、部品点数も多くなる。
更に、ナット6a、6bは上下方向から押さえつけているだけなので横方向からの力には弱いという課題があった。
従って本発明は、継手15a、15bに接続されるナット6ａ、6ｂの締め付けのための調整を不要とし、少ない部品数でナットの固定が可能な継手の固定構造を提供することを目的としている。
【課題を解決するための手段】
【００１１】
本発明は上記課題を解決するためになされたもので、請求項1に記載の継手の固定構造の発明においては、
発熱部品が取り付けられたプリント基板と、該プリント基板に固定されたフロントパネルと、前記発熱部品を冷却するための冷却剤が循環するパイプと、該パイプの両端に接続され前記冷却剤の導入及び排出を行うための多角ナットを有する継手と、一端が前記多角ナットと継手の間に固定され他端が前記フロントパネルに固定されたブラケットを備えたことを特徴とする。
【００１２】
請求項2においては、請求項１に記載の継手の固定構造の発明において、
前記ブラケットの一端は前記継手の端部に形成されたネジ部に挿入され前記ナットで締め付けることにより固定されたことを特徴とする。
【００１３】
請求項3においては、請求項１に記載の継手の固定構造の発明において、
前記継手は所定の角度に折れ曲がって形成されていることを特徴とする。
【発明の効果】
【００１４】
本発明の請求項１〜3によれば、継手の一端を多角ナットと継手の間に固定し他端をフロントパネルに固定したので、ナットの平坦部の位置調整を行う必要がなくなるとともに組み立て工数及び部品点数の削減によるコスト低減を実現することができる。
【図面の簡単な説明】
【００１５】
【図１】本発明の継手の固定構造の実施形態の一例を示す斜視図(a)、(a)図の要部拡大側面図（ｂ）である。
【図２】他の実施例を示す側面図である。
【図３】従来例を示す平面図(a)、正面図(b)、左側面図(c)、(c)図の拡大断面図(d)である。
【発明を実施するための形態】
【００１６】
図１（ａ，ｂ）は本発明の継手の固定構造の要部構成を示すもので(a)は斜視図、(b)は(a)図の一点鎖線で囲ったＫで示す部分の拡大側面図である。
これらの図において、プリント基板1の端部にはフロントパネル8ａが固定されている。      
【００１７】
プリント基板1上にはコールドプレート4aが配置されおり、図では省略するがこのコールドプレート4aの裏面にはプリント基板1上に取り付けられた発熱部品がコールドプレート4aの裏面に接して配置されている。
【００１８】
パイプ5aはこの例ではコールドプレート4aの表面に櫛歯状に配置され、その両端には継手15が接続されている。図（b）の拡大図に示すようにパイプ5aはフロントパネル8aに形成された切欠き14ａを通って引き出され、ナット6ａを介して継手15の一端に接続されている。
【００１９】
一方継手15の他端に形成されたネジ（図示省略）がブラケット14の一端に形成された切欠き14ｂに挿入され、ブラケット14の一端を挟んでナット6bにより固定されている。継手15の他端にはナット6cが接続されその一端にカプラ７a，７bを構成するチューブ13が接続されている。
【００２０】
ブラケット14の他端はＬ字状に形成されフロントパネル8aにネジ12ｆにより固定されている。
図1（ｃ〜ｅ）はブラケット14ｂの一端に形成した切欠き14ｂの形状を示すもので、(c）は切欠きの底辺を平坦にしたもの、(d)は欠きの底辺を半円状にしたもの、(e)は丸穴を形成したものであり、この切欠き14b又は丸穴(e)に継手15の一端に形成されたネジが挿入されナット6aで締め付けられる。
【００２１】
上述の構成によれば継手15の端部とナット6ｂの間にブラケット14の一端を挟んで固定し他端をフロントパネル8aに固定しているので、従来のようにナット6aのフラット面を平行に揃えるという調整が不要になり組立作業が容易になるとともに継手を強固に固定することが可能となり、部品点数も少なくすることができコストを削減することができる。
【００２２】
図2は他の実施例を示すもので、ここでは継手の形状のみが異なり他は図1と同様なのでここでの説明は省略する。この実施例では継手として図1に示す90度曲がったものではなくストレートなものを用いている。
【００２３】
そしてこの場合にも継手15cの端部とナット6ｂの間にブラケット14aの一端を挟んで固定し他端をフロントパネル8aに固定しているので、ナットの面を平行に揃えるという調整が不要になり組立作業が容易になるとともに継手を強固に固定することが可能となり、部品点数も少なくするできコストを削減することができる。
【００２４】
なお、以上の説明は、本発明の説明および例示を目的として特定の好適な実施例を示したに過ぎない。例えばプリント基板、コールドプレート、ブラケット、パイプ、フロントパネルなどの形状は図示の例に限ることなく適宜変更可能であり、要は継手の端面とナットの間にブラケットを挟んでそれぞれの継手を独立した形で取り付け可能なものであればよい。
従って本発明は、上記実施例に限定されることなく、その本質から逸脱しない範囲で更に多くの変更、変形を含むものである。
【符号の説明】
【００２５】
１      プリント基板
２      電子部品
３      発熱部品（電子部品等）
４      コールドプレート
５      パイプ
６      ナット
７      カプラ
８      フロントパネル
９，11    凹部
10      ブロック
12      ネジ
13      チューブ
14      ブラケット
15      継手
【図１】
2011253984.tif 000003
【図２】
2011253984.tif 000004
【図３】
2011253984.tif 000005